(57)【要約】【課題】蒸留水の水クラスタを小さくし、マイクロクラスタ蒸留水を利用者の飲用に提供することができるマイクロクラスタ蒸留水機を提供することにある。【解決手段】本体と熱水タンクと冷却モジュールと水クラスタ細化器とを含むマイクロクラスタ蒸留水機であって、前記本体は、吐水口を有し、前記熱水タンクは、前記本体の内部に設置され、水を収容するために用いられ、かつ、水を水蒸気が発生するまで加熱し、前記冷却モジュールは、前記本体の内部に設置され、前記冷却モジュールは、凝縮管及び吐水管を有し、前記凝縮管の頭端は、前記熱水タンクの頂部に連通され、前記凝縮管の末端は、前記吐水管の頭端に連通され、前記吐水管の末端は、前記吐水口に連通され、前記水クラスタ細化器は、永久磁石を有し、前記永久磁石は、前記吐水管に設置され、前記永久磁石の磁場強度は、約３０００〜５０００ Ｇｓであることを特徴とするマイクロクラスタ蒸留水機。【選択図】図１
2016182594.tif 000002
【特許請求の範囲】
【請求項１】
本体と熱水タンクと冷却モジュールと水クラスタ細化器とを含むマイクロクラスタ蒸留水機であって、
前記本体は、吐水口を有し、
前記熱水タンクは、前記本体の内部に設置され、水を収容するために用いられ、かつ、水を水蒸気が発生するまで加熱し、
前記冷却モジュールは、前記本体の内部に設置され、前記冷却モジュールは、凝縮管及び吐水管を有し、前記凝縮管の頭端は、前記熱水タンクの頂部に連通され、前記凝縮管の末端は、前記吐水管の頭端に連通され、前記吐水管の末端は、前記吐水口に連通され、
前記水クラスタ細化器は、永久磁石を有し、前記永久磁石は、前記吐水管に設置され、前記永久磁石の磁場強度は、約３０００〜５０００ Ｇｓであることを特徴とするマイクロクラスタ蒸留水機。
【請求項２】
前記永久磁石の磁場強度が、４０００±１０％ Ｇｓであることを特徴とする請求項１に記載のマイクロクラスタ蒸留水機。
【請求項３】
前記永久磁石が、前記吐水管の外周に設置されることを特徴とする請求項１または請求項２に記載のマイクロクラスタ蒸留水機。
【請求項４】
前記永久磁石の磁極面が、前記吐水管の外周壁に貼り合わせて固定されることを特徴とする請求項３に記載のマイクロクラスタ蒸留水機。
【請求項５】
前記吐水管の外周壁に平面を設置し、前記永久磁石の磁極面を前記平面に貼り合わせることを特徴とする請求項４に記載のマイクロクラスタ蒸留水機。
【請求項６】
前記水クラスタ細化器が、磁場遮断部材を有し、前記永久磁石の一個の磁極面が露出して前記吐水管に貼り合わせるように、前記磁場遮断部材が、前記永久磁石を覆うことを特徴とする請求項４に記載のマイクロクラスタ蒸留水機。
【請求項７】
前記水クラスタ細化器が、カバーを有し、前記カバーが、前記磁場遮断部材を覆うことを特徴とする請求項６に記載のマイクロクラスタ蒸留水機。
【請求項８】
前記磁場遮断部材と前記カバーとの間に錆防止層を有することを特徴とする請求項７に記載のマイクロクラスタ蒸留水機。
【請求項９】
前記錆防止層が、前記磁場遮断部材の外表面または前記カバーの内表面に形成されることを特徴とする請求項８に記載のマイクロクラスタ蒸留水機。
【請求項１０】
前記水クラスタ細化器が、少なくとも一個の固定部材を有し、前記固定部材が、前記カバーに当接され、前記固定部材により前記永久磁石、前記磁場遮断部材及び前記カバーを前記吐水管に固く縛ることを特徴とする請求項７に記載のマイクロクラスタ蒸留水機。
【請求項１１】
前記水クラスタ細化器が、さらにもう一つの永久磁石を有し、前記の二つの永久磁石が、前記吐水管の径方向にて異なる磁極をもって相対して設置されることを特徴とする請求項４に記載のマイクロクラスタ蒸留水機。
【請求項１２】
前記永久磁石の吐水管に貼り合わせる表面を曲面とすることを特徴とする請求項４に記載のマイクロクラスタ蒸留水機。
【請求項１３】
前記水クラスタ細化器が、さらにもう一つの永久磁石を有し、前記の二つの永久磁石が、前記吐水管の外周壁に沿って間隔を取って設置されることを特徴とする請求項４に記載のマイクロクラスタ蒸留水機。
【請求項１４】
前記本体の吐水口に吐水バルブが設置され、前記吐水管の末端が、前記吐水バルブに連結され、前記吐水管にポンプが設置され、前記ポンプが、前記吐水バルブに電気接続し、前記水クラスタ細化器が、前記吐水管の頭端と前記ポンプとの間に設置されることを特徴とする請求項４に記載のマイクロクラスタ蒸留水機。
【請求項１５】
前記本体に液供給タンクが設置され、前記液供給タンクが、パイプにより前記熱水タンクに連通され、前記水クラスタ細化器が、さらにもう一つの永久磁石を有し、前記永久磁石が、前記液供給タンクに連結するパイプに設置されることを特徴とする請求項４に記載のマイクロクラスタ蒸留水機。
【請求項１６】
前記水クラスタ細化器が、さらにもう一つの永久磁石を有し、前記永久磁石が、前記凝縮管の末端に設置されることを特徴とする請求項４に記載のマイクロクラスタ蒸留水機。
【請求項１７】
永久磁石と磁場遮断部材とカバーとを含む水クラスタ細化器であって、
前記永久磁石の磁場強度は、約３０００〜５０００ Ｇｓであり、
前記永久磁石の一個の磁極面が露出して前記吐水管に貼り合わせるように、前記磁場遮断部材が、前記永久磁石を覆い、
前記カバーが、前記磁場遮断部材を覆い、
前記磁場遮断部材と前記カバーとの間に錆防止層を有することを特徴とする水クラスタ細化器。
【請求項１８】
前記永久磁石の磁場強度が、４０００±１０％ Ｇｓであることを特徴とする請求項１７に記載の水クラスタ細化器。
【請求項１９】
前記錆防止層が、前記磁場遮断部材の外表面または前記カバーの内表面に形成されることを特徴とする請求項１７または請求項１８に記載の水クラスタ細化器。
【請求項２０】
さらに固定部材を有し、前記固定部材が、前記カバーに当接され、前記固定部材により前記永久磁石、前記磁場遮断部材及びカバーをパイプに固く縛ることを特徴とする請求項１７または請求項１８に記載の水クラスタ細化器。
【発明の詳細な説明】
【技術分野】
【０００１】
本発明は、飲用水供給装置に関し、特に、蒸留水の水クラスタを小さくすることができるマイクロクラスタ蒸留水機に係るものである。
【背景技術】
【０００２】
水分子は、一個の酸素原子と二個の水素原子とからなるものであるが、一個の水分子は、単独で存在することができない。
水分子同士の間に、水素結合が形成され、水クラスタを形成するからである。
一般的に、水道水の水クラスタは、１４個以上の水分子からなる。
【０００３】
水クラスタの測定について、核磁気共鳴（Ｎｕｃｌｅａｒ  Ｍａｇｎｅｔｉｃ  Ｒｅｓｏｎａｎｃｅ、略してＮＭＲ）を用いて水の振動周波数を測定することにより、水クラスタの水分子数量を知る方法がある。
すなわち、振動周波数が高ければ高いほど、水クラスタが大きく、含まれる水分子数量が多く、水の品質が低い。
例えば、井水、雨水、河水、水道水（大きさは、およそ１０〜１５個の水分子に相当する）の振動周波数は、いずれも１００Ｈｚを超え、ミネラルウォーター（大きさは、およそ８〜９個の水分子に相当する）の振動周波数は、およそ９０Ｈｚであり、沖縄の長寿村の水（大きさは、およそ７〜８個の水分子に相当する）の振動周波数は、およそ８５Ｈｚである。
【０００４】
また、研究によれば、水クラスタは、クラスタを小さくする方法により、外力を加えて水素結合を破壊し、水クラスタの水分子同士の結合力を遮断し、水分子を再び配列させて高密度の水クラスタを形成する。
こういった水クラスタは、およそ５〜９個の水分子を含み、「マイクロクラスタ水」と称され、振動周波数は、９０Ｈｚより低い。
【０００５】
前記マイクロクラスタ水は、細胞組織に対して浸透力が強く、細胞膜の緻密なプロテインの隙間（「水通路」とも称され、幅は、約２μｍ）を容易に出入することができるため、人体に吸収されやすく、新陳代謝を促進する効果を有する。
また、マイクロクラスタ水は、概して弱塩基性であるため、人体の酸性化を抑制することができ、健康の維持に有益である。
【先行技術文献】
【特許文献】
【０００６】
【特許文献１】台湾第４２４５５４号公告
【特許文献２】台湾第５３３９０３号公告
【特許文献３】台湾第Ｍ３７８９２９号公告
【特許文献４】台湾第Ｍ４６３１００号公告
【発明の概要】
【発明が解決しようとする課題】
【０００７】
一方、飲用の利便性を向上させるように、住宅、会社、政府機関、展覧会場などの室内環境、ひいては、学校、公園などの室外環境に、さまざまな蒸留水機が設置されている。
しかしながら、台湾第４２４５５４号公告「蒸留水機」、台湾第５３３９０３号公告「蒸留水機の構造改良」、台湾第Ｍ３７８９２９号公告「太陽エネルギー集光蒸留水機」及び台湾第Ｍ４６３１００号公告「蒸留水機の改良構造」などの実用新案登録に開示される従来の蒸留水機は、いずれも水クラスタを小さくする機能を有さないため、残念ながら、我々は、飲み応えが良く、かつ、健康に有益なマイクロクラスタ蒸留水を飲むことができない。
【０００８】
以上に鑑みて、従来の蒸留水機には、依然として改良の必要がある。
【課題を解決するための手段】
【０００９】
本発明は、蒸留水の水クラスタを小さくし、マイクロクラスタ蒸留水を利用者の飲用に提供することができるマイクロクラスタ蒸留水機を提供する。
【００１０】
本発明は、容易に蒸留水機に取り付けられ、マイクロクラスタ蒸留水を利用者の飲用に提供させることができる水クラスタ細化器を提供する。
【００１１】
本体と熱水タンクと冷却モジュールと水クラスタ細化器とを含むマイクロクラスタ蒸留水機であって、前記本体は、吐水口を有し、前記熱水タンクは、前記本体の内部に設置して水を収容するために用いられ、かつ、水を水蒸気が発生するまで加熱し、前記冷却モジュールは、前記本体の内部に設置され、前記冷却モジュールは、凝縮管及び吐水管を有し、前記凝縮管の頭端は、前記熱水タンクの頂部に連通され、前記凝縮管の末端は、前記吐水管の頭端に連通され、前記吐水管の末端は、前記吐水口に連通され、前記水クラスタ細化器は、永久磁石を有し、前記永久磁石は、前記吐水管に設置され、前記永久磁石の磁場強度は、約３０００〜５０００  Ｇｓであることを特徴とするマイクロクラスタ蒸留水機。
【００１２】
本発明のマイクロクラスタ蒸留水機は、前記永久磁石の磁場強度が４０００±１０％  Ｇｓである。
【００１３】
本発明のマイクロクラスタ蒸留水機は、前記永久磁石が前記吐水管の外周に設置される。
【００１４】
本発明のマイクロクラスタ蒸留水機は、前記永久磁石の磁極面が前記吐水管の外周壁に貼り合わせて固定される。
【００１５】
本発明のマイクロクラスタ蒸留水機は、前記吐水管の外周壁に平面を設置し、前記永久磁石の磁極面を前記平面に貼り合わせる。
【００１６】
本発明のマイクロクラスタ蒸留水機は、前記水クラスタ細化器が磁場遮断部材を有し、前記永久磁石の一個の磁極面が露出して前記吐水管に貼り合わせるように、前記磁場遮断部材が前記永久磁石を覆う。
【００１７】
本発明のマイクロクラスタ蒸留水機は、前記水クラスタ細化器がカバーを有し、前記カバーが前記磁場遮断部材を覆う。
【００１８】
本発明のマイクロクラスタ蒸留水機は、前記磁場遮断部材と前記カバーとの間に錆防止層を有する。
【００１９】
本発明のマイクロクラスタ蒸留水機は、前記錆防止層が前記磁場遮断部材の外表面または前記カバーの内表面に形成される。
【００２０】
本発明のマイクロクラスタ蒸留水機は、前記水クラスタ細化器が少なくとも一個の固定部材を有し、前記固定部材が前記カバーに当接され、前記固定部材により前記永久磁石、前記磁場遮断部材及び前記カバーを前記吐水管に固く縛る。
【００２１】
本発明のマイクロクラスタ蒸留水機は、前記水クラスタ細化器が、さらにもう一つの永久磁石を有し、前記の二つの永久磁石が、前記吐水管の径方向にて異なる磁極をもって相対して設置される。
【００２２】
本発明のマイクロクラスタ蒸留水機は、前記永久磁石の前記吐水管に貼り合わせる表面を曲面とする。
【００２３】
本発明のマイクロクラスタ蒸留水機は、前記水クラスタ細化器が、さらにもう一つの永久磁石を有し、前記の二つの永久磁石が、前記吐水管の外周壁に沿って間隔を取って設置される。
【００２４】
本発明のマイクロクラスタ蒸留水機は、前記本体の吐水口に吐水バルブが設置され、前記吐水管の末端が前記吐水バルブに連結され、前記吐水管にポンプが設置され、前記ポンプが前記吐水バルブに電気接続し、前記水クラスタ細化器が前記吐水管の頭端と前記ポンプとの間に設置される。
【００２５】
本発明のマイクロクラスタ蒸留水機は、前記本体に液供給タンクが設置され、前記液供給タンクがパイプにより前記熱水タンクに連通され、前記水クラスタ細化器がさらにもう一つの永久磁石を有し、前記永久磁石が前記液供給タンクに連結するパイプに設置される。
【００２６】
本発明のマイクロクラスタ蒸留水機は、前記水クラスタ細化器がさらにもう一つの永久磁石を有し、前記永久磁石が前記凝縮管の末端に設置される。
【００２７】
永久磁石と、磁場遮断部材と、カバーとを含む水クラスタ細化器であって、前記永久磁石の磁場強度は、約３０００〜５０００  Ｇｓであり、前記永久磁石の一個の磁極面が、露出して前記吐水管に貼り合わせるように、前記磁場遮断部材が、前記永久磁石を覆い、前記カバーが、前記磁場遮断部材を覆い、前記磁場遮断部材と前記カバーとの間に錆防止層を有することを特徴とする水クラスタ細化器。
【００２８】
本発明の水クラスタ細化器は、前記永久磁石の磁場強度が、４０００±１０％  Ｇｓである。
【００２９】
本発明の水クラスタ細化器は、前記錆防止層が、前記磁場遮断部材の外表面または前記カバーの内表面に形成される。
【００３０】
本発明の水クラスタ細化器は、さらに固定部材を有し、前記固定部材が、前記カバーに当接され、前記固定部材により前記永久磁石、磁場遮断部材及びカバーをパイプに固く縛る。
【発明の効果】
【００３１】
これにより、本発明のマイクロクラスタ蒸留水機は、吐水管の外周に設置された永久磁石を有する水クラスタ細化器により、永久磁石の磁力をもって吐水管を通る蒸留水の水クラスタを小さくする。
これにより、生水が水クラスタの大きい水源から取ったものであっても、利用者は、マイクロクラスタ蒸留水機により、利便的にマイクロクラスタ蒸留水を飲用することができ、健康の維持に有益である。
また、本発明のマイクロクラスタ蒸留水機は、容易に既存の蒸留水機に取り付けられ、マイクロクラスタ蒸留水を利用者の飲用に提供させることができる。
【図面の簡単な説明】
【００３２】
【図１】本発明の第一実施例の概略構造断面図。
【図２】本発明に係る水クラスタ細化器の第一実施例の概略構造立体図。
【図３】本発明に係る水クラスタ細化器の第一実施例の概略図。
【図４】本発明に係る水クラスタ細化器の第二実施例の概略図。
【図５】本発明に係る水クラスタ細化器の第三実施例の概略図。
【図６】本発明に係る水クラスタ細化器の第三実施例の別視角の概略図。
【図７】本発明により得られるマイクロクラスタの核磁気共鳴測定結果図。
【図８】本発明のもう一つの実施例の概略構造断面図。
【発明を実施するための形態】
【００３３】
本発明の実施の一形態について、以下、図面を参照して説明する。
【００３４】
本発明のマイクロクラスタ蒸留水機の一つの実施例は、図１に示す。
前記マイクロクラスタ蒸留水機１は、概して本体１、熱水タンク２、冷却モジュール３及び水クラスタ細化器４を含み、熱水タンク２、冷却モジュール３及び水クラスタ細化器４はいずれも前記本体１の内部に設置される。
【００３５】
本体１の形態は、限定されず、原則としては、マイクロクラスタ蒸留水機の主な部品を収容できるものである。
本実施例において、本体１は、概して壺状を成し、かつ、吐水口１１が設置される。
【００３６】
前記熱水タンク２は、本体１の内部に設置され、水を収容するために用いられ、かつ、水を水蒸気が発生するまで加熱するものである。
本実施例において、熱水タンク２の頂部に蒸気出口２１が設置され、熱水タンク２の底部の外周に加熱部材２２が設置され、この加熱部材２２により水を沸騰させるまで加熱し、発生される蒸気が、蒸気出口２１を通して前記熱水タンク２を出る。
【００３７】
前記冷却モジュール３は、本体１の内部に設置され、蒸気を凝縮させることができるユニットであれば良い。
本実施例において、冷却モジュール３は、凝縮管３１、吐水管３２、放熱部材３３及び送風部材３４を含む。
前記凝縮管３１の頭端は、熱水タンク２の頂部の蒸気出口２１に連通され、熱水タンク２の水蒸気を凝縮管３１へ進入させる。
前記凝縮管３１の末端は、吐水管３２の頭端に連通され、液体に凝縮した蒸留水を吐水管３２に進入させる。
前記吐水管３２の末端は、本体１の吐水口１１に連通される。
なお、前記凝縮管３１と吐水管３２とを連結しても良く、例えば、一体に連結し、互いに差し込み、又は継手により間接的に連結し、凝縮した蒸留水を直接吐水管３２を通過させ、吐水口１１から流出させる。
或いは、前記凝縮管３１と吐水管３２との間に液収集タンク（図示せず）を設置してもよく、これにより、凝縮した蒸留水は、液収集タンクに一時的に貯蔵され、飲用する際に吐水管３２及び吐水口１１から流出する。
【００３８】
前記放熱部材３３は、凝縮管３１の外周に設置され、この凝縮管３１の放熱を促進させ、水蒸気を凝縮させる効率を向上させる。
前記放熱部材３３は、例えば、複数のフィンであっても良く、かつ、これらの複数のフィンは、凝縮管３１の外周に間隔を取って設置されることが好ましく、これにより、放熱効果を向上させることができる。
前記送風部材３４は、ファンであっても良く、電源の接続に伴って回転し、外部の冷気を迅速に取り入れ、前記凝縮管３１及び放熱部材３３の温度を低下させる。
【００３９】
前記水クラスタ細化器４は、少なくとも永久磁石４１を有し、この永久磁石４１は、吐水管３２に設置され、この永久磁石４１の磁力により吐水管３２を通る蒸留水を磁化させ、その水クラスタを小さくする。
前記永久磁石４１の磁場強度は、約３０００〜５０００  Ｇｓであり、好ましくは、４０００±１０％  Ｇｓである。
なお、前記永久磁石４１は、吐水管３２の内部に固定されてもよく、或いは、吐水管３２の外周に設置されてもよい。
前記永久磁石４１が吐水管３２の外周に設置される場合、永久磁石４１が、吐水管３２の外周に接近すればするほど、吐水管３２を通る蒸留水を磁化する効果が良いため、前記水クラスタ細化器４は、永久磁石４１の磁極面（Ｎ極またはＳ極）をもって吐水管３２の外周壁に貼り合わせて固定することができる。
特に注意すべきなのは、前記永久磁石４１の磁力を低下させないように、吐水管３２において温度が６０℃より低い（好ましくは室温以下）箇所を選択して永久磁石４１を設置すべきであるため、吐水管３２にさらに加熱部材を設置し温水を提供する実施例においては、永久磁石４１が加熱部材に接近しすぎないようにすべきである。
【００４０】
前記水クラスタ細化器４は、前記のように永久磁石４１により蒸留水を磁化するという基本的な機能以外に、水クラスタ細化器４の使用安全性及び組立利便性を向上させるように、必要に応じて部品を増加しても良い。
これについて、幾つかの実施態様を、以下のように説明する。
【００４１】
図２及び図３に示される水クラスタ細化器４の第一実施例において、前記水クラスタ細化器４の永久磁石４１は、概して立方体を成し、前記永久磁石４１と吐水管３２との結合安定性を向上させるために、吐水管３２の外周壁に平面３２１を設置してもよく、これにより、永久磁石４１の磁極面を平面３２１に貼り合わせる。
【００４２】
本発明は、磁場強度がかなり高い永久磁石４１を使用するため、前記水クラスタ細化器４は、さらに磁場遮断部材４２を有することが好ましく、前記永久磁石４１の一個の磁極面が露出して吐水管３２に貼り合わせるように、前記磁場遮断部材４２が、前記永久磁石４１を覆い、これにより、永久磁石４１の磁力の漏れを防ぎ、磁性物質が永久磁石４１に引き寄せられ前記本体１の外部に貼り付いて本体１の外部から引き剥がしにくくなること、ひいては、体内に心臓ペースメーカー（ｃａｒｄｉａｃ  ｐａｃｅｍａｋｅｒ）などの植込み型医療機器を植え込まれている利用者の命の危険に及ぼすことを防ぐ。
なお、前記磁場遮断部材４２は、例えば、低炭素鋼などの金属材料により製作されても良い。
【００４３】
また、前記水クラスタ細化器４は、さらに、カバー４３を設置することができ、このカバー４３は、前記磁場遮断部材４２を覆い、カバー４３は、緩衝能力を有し、前記永久磁石４１及び磁場遮断部材４２を保護し、外力を受ける際に損傷を受けさせにくくなる。
本実施例において、前記磁場遮断部材４２及びカバー４３は、それぞれ固定部４２１，４２２を設置することができ、これにより、互いに噛み合わせて固定する。
さらに、前記磁場遮断部材４２とカバー４３との間に錆防止層Ｒを有することが好ましく、前記永久磁石４１及び磁場遮断部材４２が経時的に錆びることを防ぐ。
なお、構造を簡単化して組立利便性を向上させるために、前記磁場遮断部材４２の外表面またはカバー４３の内表面にニスまたは電気めっき（例えばニッケルめっき）などを選択して錆防止層Ｒを形成することができる。
【００４４】
前記永久磁石４１、磁場遮断部材４２及びカバー４３を吐水管３２に結合し固定する手段は限定されず、例えば、前記永久磁石４１、磁場遮断部材４２及びカバー４３を粘着により吐水管３２の外周壁に貼り合わせて固定することができる。
あるいは、水クラスタ細化器４は、さらに少なくとも一個の固定部材４４を設けることができ、この固定部材４４をカバー４３に当接し、固定部材４４により永久磁石４１、磁場遮断部材４２及びカバー４３を吐水管３２に固く縛り、これにより、前記永久磁石４１、磁場遮断部材４２及びカバー４３が、振動で吐水管３２から解けることを防ぐ。
【００４５】
図４に示される水クラスタ細化器４の第二実施例において、水クラスタ細化器４は、二組の永久磁石４１、磁場遮断部材４２及びカバー４３を含む。
本実施例における各永久磁石４１、磁場遮断部材４２及びカバー４３は、第一実施例のものと同様であるため、ここで、その説明を省略する。
注意すべきなのは、二つの永久磁石４１を吐水管３２の径方向にて相対して設置する場合、二つの永久磁石４１を異なる磁極をもって相対させるようにすべきであり、これにより、蒸留水を磁化する効果を向上させる。
なお、本実施例における水クラスタ細化器４も、さらに少なくとも一個の固定部材４４を含み、この固定部材４４を二つのカバー４３の外周に固く縛ることにより、二組の永久磁石４１、磁場遮断部材４２及びカバー４３が、吐水管３２に安定的に結合することを確保する。
【００４６】
図５、図６に示される水クラスタ細化器４の第三実施例において、水クラスタ細化器４は、同じく二組の永久磁石４１、磁場遮断部材４２及びカバー４３を含み、第二実施例と異なる点として、本実施例においては、それぞれの永久磁石４１の吐水管３２に貼り合わせる表面を曲面とすることにより、二つの永久磁石４１が、吐水管３２の外周壁を覆う面積を増加させ、蒸留水を磁化する効果をさらに向上させる。
なお、前記永久磁石４１の形態では、磁場遮断部材４２及びカバー４３を吐水管３２の径方向に沿って直接覆うことができないため、本実施例の磁場遮断部材４２及びカバー４３は、側面に開口を設置することができ、これにより、磁場遮断部材４２及びカバー４３を吐水管３２の軸方向に沿って直接覆わせて、後に開口を密封することができる。
または、磁場遮断部材４２を環状とすることにより、永久磁石４１を吐水管３２の外周壁に被せることもできる。
【００４７】
特に、前記水クラスタ細化器４が、二つ或いは二つ以上の永久磁石４１を有する場合、複数の永久磁石４１は、相対して設置しなくても良く、吐水管３２の外周壁に沿って間隔を取って設置することができ、これにより、区間を分けて蒸留水を磁化し、吐水管３２に複数の湾曲を有する実施例に好適である。
【００４８】
図１を再び参照すると、前述した構造により、本発明のマクロクラスタ蒸留水機は、作動する際、熱水タンク２が水を水蒸気が発生するまで加熱した後、水蒸気が蒸気出口２１より凝縮管３１に進入し、凝縮管３１の内部において冷却して凝縮し、飲用できるきれいな蒸留水を形成して吐水管３２へ流入し、吐水管３２の外周に設置された水クラスタ細化器４を通る際に、蒸留水が、永久磁石４１に磁化されてその水クラスタを小さくされ、本体１の吐水口１１からマイクロクラスタ蒸留水が流出し、利用者の飲用に提供される。
【００４９】
図７に示されるように、マイクロクラスタ蒸留水機に作製されたマイクロクラスタ蒸留水を、ドイツのブルカー社（Ｂｒｕｋｅｒ  Ｃｏｒｐｏｒａｔｉｏｎ）製の核磁気共鳴装置を用いて測定した結果、吸収ピークが、化学シフト３．１８ｐｐｍに現れたため、振動周波数（吸収ピークの周波数）が、６８．１７Ｈｚであると推定し、前記振動周波数が、９０Ｈｚより小さいので、「マイクロクラスタ水」の定義に合致する。
【００５０】
図８に示される本発明のマイクロクラスタ蒸留水機のもう一つの実施例は、本体１、熱水タンク２、冷却モジュール３及び水クラスタ細化器４以外に、さらに、熱交換管５及び水位制御ユニット６を含み、それらについては、以下のように説明する。
【００５１】
本実施例の本体１は、体積がより大きく、吐水口１１は、本体１の前側に設置され、吐水バルブ１２の取り付けに用いられる。
前記本体１の内部の頂部に液供給タンク１３が設置され、これにより、大量の生水を収容する。
前記液供給タンク１３の底部に給水口１３１が設置され、パイプの連結により熱水タンク２に水を補充する。
【００５２】
前記熱交換管５の両端は、それぞれ液進入端５ａ及び液流出端５ｂであり、熱交換管５の内部に熱交換空間５１を有し、前記液供給タンク１３の給水口１３１と熱交換管５の液進入端５ａとの間にパイプが設置され、これにより、前記液供給タンク１３と熱交換管５の熱交換空間５１とを連通させ、水を液供給タンク１３から熱交換管５へ流入させる。
【００５３】
前記水位制御ユニットは、タンク６１及びストッパー６２を有し、タンク６１の頂部は、パイプを通して熱交換管５の液流出端５ｂへ連通され、熱交換管５の水をタンク６１へ流入させる。
前記ストッパー６２は、タンク６１に内部に設置され、前記ストッパー６２の密度は、タンク６１に収容される水の密度より小さい。
【００５４】
前記熱水タンク２は、パイプにより水位制御ユニット６のタンク６１の底部へ連通し、前記タンク６１の水を熱水タンク２へ流入させる。
なお、前記タンク６１と熱水タンク２とを連通するパイプにバルブＶが設置される。
前記熱水タンク２の頂部に蒸気出口２１が設置され、加熱部材２２が、熱水タンク２の内部の底部に設置され、加熱部材２２により水を沸騰させるまで加熱し、発生される蒸気が、蒸気出口２１を通して熱水タンク２を出ることができる。
【００５５】
前記冷却モジュール３は、凝縮管３１、吐水管３２、放熱部材３３及び送風部材３４を含む。
前記凝縮管３１の頭端は、熱水タンク２の頂部の蒸気出口２１に連通され、このタンク２の水蒸気を凝縮管３１へ進入させる。
前記凝縮管３１は、熱交換管５を貫通し、凝縮管３１へ進入した水蒸気をこの区間において熱交換管５の比較的に低温の水と熱交換させ、水蒸気の冷却効率を向上させる。
前記凝縮管３１は、熱交換管５から延出した部分の外周に放熱部材３３が設置され、さらに外部の冷空気を凝縮管３１及び放熱部材３３へ吹き付ける本体１の内部に取り付けられた送風部材３４を加え、凝縮管３１の水蒸気を迅速に液滴に凝縮させる。
【００５６】
前記凝縮管３１の末端は、吐水管３２の頭端に連通され、液体に凝縮した蒸留水を吐水管３２へ進入させ、吐水管３２の末端は、本体１の吐水バルブ１２に連結される。
本実施例は、さらに凝縮管３１と吐水管３２との間に液収集タンク３５を設置し、これにより、凝縮した蒸留水は、液収集タンク３５に一時的に貯蔵され、飲用する際に吐水管３２及び吐水バルブ１２から流出する。
【００５７】
また、本実施例において、吐水管３２にさらにポンプＰ及び加熱モジュールＨを設置することができ、前記ポンプＰは、吐水バルブ１２に電気接続し、前記加熱モジュールＨは、吐水バルブ１２とポンプＰとの間に設置される。
これにより、利用者が熱した蒸留水を飲用しようとする際に、前記加熱モジュールＨを作動させ、蒸留水を加熱モジュールＨを通過させてから吐水バルブ１２から流出させる。
【００５８】
実施例と同様の技術的概念に基づき、本実施例は、同じく水クラスタ細化器４を吐水管３２の外周に設置し、この水クラスタ細化器４は、少なくとも永久磁石４１を有し、この永久磁石４１の磁力により吐水管３２を通る蒸留水を磁化させ、その水クラスタを小さくし、これにより、吐水バルブ１２へ流れる水をすべてマイクロクラスタ蒸留水にする。
【００５９】
特に説明すべきなのは、前記ポンプＰは、水の流速を速めるため、前記水クラスタ細化器４は、吐水管３２の頭端とポンプＰとの間に設置されることが好ましく、これにより、水は、その水クラスタを十分に小さくした後、加圧されて前記吐水管３２を出る。
また、本実施例の図面に示されるように、前記水クラスタ細化器４は、二つ或いは二つ以上の永久磁石４１を含んでも良く、含まれる少なくとも一個の永久磁石４１は、吐水管３２の頭端とポンプＰとの間に設置されるべきであり、その他の永久磁石４１の設置位置については限定されない。
ただし、前記吐水管３２の高温（６０℃以上）部分に永久磁石４１の機能を影響されないように、加熱モジュールＨに近すぎないように注意すべきである。
【００６０】
また、含まれる一個の永久磁石４１を前記液供給タンク１３と熱交換管５とを連通するパイプに設置しても良く、これにより、液供給タンク１３を出る生水が、永久磁石４１に磁化され、水に含まれる鉱物成分（例えば、ＣａＣＯ３、ＭｇＣＯ３など）の分子構造を変化させるため、水が、熱交換管５、タンク６１及び熱水タンク２に流入した後、前記鉱物成分は、互いに粘着したり積もったりしにくくなるので、パイプの内壁やタンクの内壁に水垢が生じにくい。
特に、前記熱水タンク２において、水に含まれる鉱物成分は、沸騰の過程において比較的に軟らかい物質（例えば、Ｃａ(ＨＣＯ３)２、Ｍｇ(ＨＣＯ３)２など）を生成するため、熱水タンク２の内部に水垢がたまることでさらなるエネルギーを消耗して水を沸かすことを防ぐことができ、省エネ及び水垢落としなどの効果を有する。
【００６１】
また、本実施例は、さらに含まれる一つの永久磁石４１を凝縮管３１の末端に設置し、蒸留水が、液収集タンク３５に流入し一時的に貯蔵される前にその水クラスタを小さくし吐水管、３２の頭端とポンプＰとの間に設置される永久磁石４１を合わせて、蒸留水が、液収集タンク３５を出た後に再びその水クラスタを小さくすることにより、吐水バルブ１２から流出する蒸留水の水クラスタが十分に小さくされ、質の良いマイクロクラスタ水が得られることを確保する。
【００６２】
以上により、本発明のマイクロクラスタ蒸留水機は、吐水管の外周に永久磁石を有する水クラスタ細化器を設置することにより、永久磁石の磁力により前記吐水管を通る蒸留水の水クラスタを小さくすることができる。
これにより、生水が水クラスタの大きい水源から取ったものであっても、利用者は、マイクロクラスタ蒸留水機により、マイクロクラスタ蒸留水を利便的に飲用することができるため、健康の維持に有益である。
【００６３】
本発明の水クラスタ細化器は、容易に既存の蒸留水機に取り付けられることができ、マイクロクラスタ蒸留水を利用者の飲用に提供させることができる。
【００６４】
本発明は、その精神と必須の特徴事項から逸脱することなく他のやり方で実施することができる。
従って、本明細書に記載した好ましい実施形態は、例示的なものであり、本発明の範囲を限定するものではない。
【符号の説明】
【００６５】
１      本体
１１    吐水口
１２    吐水バルブ
１３    液供給タンク
１３１  給水口
２      熱水タンク
２１    蒸気出口
２２    加熱部材
３      冷却モジュール
３１    凝縮管
３２    吐水管
３２１  平面
３３    放熱部材
３４    送風部材
３５    液収集タンク
４      水クラスタ細化器
４１    永久磁石
４２    磁場遮断部材
４２１  固定部
４３    カバー
４３１  固定部
４４    固定部材
５      熱交換管
５ａ    液進入端
５ｂ    液流出端
５１    熱交換空間
６      水位制御ユニット
６１    タンク
６２    ストッパー
Ｈ      加熱モジュール
Ｐ      ポンプ
Ｒ      錆防止層
Ｖ      バルブ
【図１】
2016182594.tif 000003
【図２】
2016182594.tif 000004
【図３】
2016182594.tif 000005
【図４】
2016182594.tif 000006
【図５】
2016182594.tif 000007
【図６】
2016182594.tif 000008
【図７】
2016182594.tif 000009
【図８】
2016182594.tif 000010